(57)【特許請求の範囲】
【請求項１】
磁気的、光学的あるいはその他の手段で情報を記録再生するヘッドと、基板上に情報記録層を有するディスク状記録媒体とにより構成され、前記記録媒体が停止している時には前記ヘッドが前記記録媒体と非接触状態となる位置に待避した状態にあり、前記記録媒体が起動し回転している時に前記ヘッドが導入路に沿って前記記録媒体上に導入され、停止する時に前記ヘッドを前記導入路に沿って待避させるようにしてなるヘッドロード・アンロード方式の記録装置と同様の記録再生動作をし、前記記録装置で使用される記録媒体およびヘッドの記録動作に対する評価を行う記録動作評価装置において、前記ヘッドを導入するときの、前記ヘッドの前記記録媒体上の半径位置と、前記ヘッド待避させるときの、前記ヘッドの前記記録媒体上の半径位置とが異なるように、前記導入路を駆動する駆動装置を設けたことを特徴とする記録動作評価装置。
【請求項２】
請求項１に記載の装置において、記録媒体の外周にヘッドの導入、待避を行なう導入路を設けるとともに、この導入路にこれを記録媒体の半径方向に移動する駆動装置を結合して、この駆動装置により導入路の位置をヘッドを導入するときと待避するときとで異なる位置に変えることを特徴とする記録動作評価装置。
【発明の詳細な説明】
【０００１】
【発明の属する技術分野】
本発明は、磁気的あるいは光学的手段により情報を記録再生する記録装置と同様の動作を行うようにした装置により前記記録装置に使用される記録媒体およびヘッドの記録動作に対する評価を行う記録動作評価装置に関する。
【０００２】
【従来の技術】
ＨＤＤ（Hard Disk Drive）などの記録装置はコンピュータの代表的な外部記録装置として広く普及している。同記録装置は、回転するディスク状の磁気記録媒体と、この記録媒体の回転により発生する気流により記録媒体から微小隙間を以って浮上させて記録媒体上に磁気的に情報を記録、再生する磁気ヘッドとを備えている。
【０００３】
従来のこの種記録装置では、起動時にはヘッドを記録媒体面上に接触させた状態のまま記録媒体を回転させることにより浮上させ、停止時にはヘッドを媒体面上に接触させるという方式を採用していた。この方式はＣＳＳ（コンタクト・スタート・ストップ  Contact Start Stop）方式と呼ばれているが、記録媒体の信頼性向上および高記録密度化の面で次のような問題がある。
【０００４】
すなわち、ＣＳＳ方式はヘッドの接触摺動を伴うため記録媒体の摩耗やパーティクル発生による信頼性が低下する問題がある。また、起動時のヘッドと記録媒体との吸着・摩擦を減少させるために記録媒体表面にテクスチャーと呼ばれる微小凹凸が設けられているため、ヘッドの浮上量をこのテクスチャーの高さ以下には設定できず、ヘッド浮上量が大きくなって高記録密度化を図る場合の障壁となる。
【０００５】
これに対して、ヘッドロード・アンロード（Load/Unload）方式、すなわち、停止時にはヘッドを媒体面上から待避（アンロード）させ、起動して記録媒体がヘッドを浮上可能な回転状態になった時点でヘッドを媒体面上に導入（ロード）させる方式では、ＣＳＳ方式のように記録媒体とヘッドとの接触を伴うことがないため記録媒体の信頼性が高くなり、また、記録媒体にテクスチャーを設ける必要がないためヘッド浮上量の狭小化を図ることが可能となるので高記録密度化に対応することができる。
【０００６】
図３にＨＤＤにおける一般的なヘッドのロード・アンロード機構１の従来例を示す。
【０００７】
この従来のロード・アンロード機構におけるヘッド２には、先端に導入路となるランプ４上に保持されるタブ２１が設けられており、ヘッド２を記録媒体３上に導入（ロード）する際、このタブ２１をランプ４の傾斜した上面に沿わせて移動し、ヘッド２を記録媒体３上へ案内する。また待避（アンロード）する際も同様にタブ２１をランプ４の上面に沿って待避位置へ移動させる。このロード・アンロード方式では、ヘッド２が記録媒体３に接触しないようにランプ４で持ち上げた状態で記録媒体３の面上にロードする際、ヘッドと媒体表面との間の微小間隙面間に生じるスクイーズ圧力と呼ばれる気流による圧力を利用してヘッド２の慣性を受け止め、ヘッド２を記録媒体３に接触させることなくその上面にロードさせる設計をしている。しかしながら、ロード時のヘッド姿勢角度、記録媒体の振れ、外部振動などの影響で十分なスクイーズ圧力が得られずに接触状態となり、媒体とヘッドとの間に衝撃が発生することがある。同様にアンロード時、すなわち記録媒体３の上面からヘッド２を引き離す際、記録媒体３とヘッド２との間に一時的に吸着力が発生し、これによりヘッドを支持しているサスペンションが媒体側に引っ張られ、ヘッド２が記録媒体面から離れる際に振動してヘッドが媒体面に打ち付けられる、いわゆる「スラッピング」とよばれる現象が発生し、ロード時と同様にヘッド２と記録媒体３との間に衝撃が発生することがある。
【０００８】
以上のことからヘッドロード・アンロード方式の記録装置では、ロード動作時およびアンロード動作時に発生する衝撃に対する記録媒体およびヘッドの信頼性を確保する必要があり、開発段階における信頼性評価が非常に重要なものとなる。記録媒体およびヘッドの信頼性評価には、ヘッドロード・アンロード方式のＨＤＤと同様の動作が行えるスピンスタンドと呼ばれる記録動作評価装置を用いて、ロード、アンロードの繰り返し動作により評価する。
【０００９】
図４は従来の記録動作評価装置におけるロード時の動作を示している。ヘッド２はボイスコイルモータ等からなる図示しない駆動装置により駆動されて点線で示す位置からタブ２１によりランプ４に沿って案内されて実線で示す位置で記録媒体３上へロードされることになるため、ロード動作による記録媒体３上の損傷は、ランプ４の先端部付近のゾーン３１に発生する。
【００１０】
図５はアンロード時の動作を示しており、ヘッド２はロード時と同じランプの先端部付近の位置でアンロードされるため、アンロード時の記録媒体３に生じる損傷ゾーン３２もロード時の損傷ゾーン３１と一致する。そのため、被試験記録媒体上にはロード動作時とアンロード動作時の両方の損傷が混在することになり、試験後の評価では損傷原因の特定が困難となる。
【００１１】
【発明が解決しようとする課題】
本発明の課題は、Ｌ／ＵＬ方式の記録装置で使用される記録媒体を試験する際に、この被試験記録媒体上におけるロード動作時の損傷とアンロード動作時の損傷の混在を避け、試験後の評価において損傷原因の特定を可能にすることにある。
【００１２】
【課題を解決するための手段】
本発明は上記の課題を達成するため、磁気的、光学的あるいはその他の手段で情報を記録再生するヘッドと、基板上に情報記録層を有するディスク状記録媒体とにより構成され、前記記録媒体が停止している時には前記ヘッドが前記記録媒体と非接触状態となる位置に待避した状態にあり、前記記録媒体が回転駆動された時に前記ヘッドが導入路に沿って前記記録媒体上に導入され、停止する時に前記ヘッドを前記導入路に沿って待避させるようにしてなるヘッドロード・アンロード方式の記録装置と同様の記録再生機構を備え、前記記録装置で使用される記録媒体およびヘッドの記録再生動作に対する評価を行う記録動作評価装置において、前記ヘッドを導入するときの、前記ヘッドの前記記録媒体上の半径位置と、前記ヘッド待避させるときの、前記ヘッドの前記記録媒体上の半径位置とが異なるように、前記導入路を駆動する駆動装置を設けたことを特徴とする。
【００１３】
この場合、ヘッドをロード、アンロードするための導入路を前記記録媒体の半径方向に移動させるための駆動装置を設け、これにより導入路の位置をロード時とアンロード時とで変更するようにするのがよい。
【００１４】
【発明の実施の形態】
図１および図２は本発明による記録動作評価装置の実施例の動作状態を示している。
【００１５】
この実施例において、従来装置と同一の要素は同一の符号で示し、説明を省略する。実施例の装置が従来の装置と異なる点は、導入路であるランプ４に、その位置を記録媒体３の半径方向に移動するための電磁式のアクチュエータ等からなる駆動機構５を付設している点である。
この駆動機構５は、ランプ４を駆動して記録媒体３の半径方向に移動させる機構である。待機時およびロード動作時は、この駆動機構５によりランプ４を引っ張って図１に示すように記録媒体３の外周付近のゾーン３１にかかる位置に置き、アンロード時には図２に示すように、駆動装置５によりランプ４を記録媒体３の中心に向けて押し、ゾーン３１より内側のゾーン３２にかかる位置へ移動させるようにする。
【００１６】
待機している状態では、ランプ４は従来の記録動作評価装置と同様に記録媒体３の外周側にセットされており、ヘッド２の先端のタブ２１が図１に点線で示すようにこのランプ４の上に保持されている。ヘッド２をロードするときは、ランプ４はそのままにして、ヘッド２を図示しないヘッド駆動装置により記録媒体３側へ駆動することによりタブ２１がランプ４の上面を沿わせて移動され、ヘッド２がランプ４の先端部で記録媒体３の外周側ゾーン３１上にロードされる。このためロード動作によるヘッド２と記録媒体３との接触は記録媒体３のゾーン３１の範囲で発生し、このゾーン３１が損傷される。
【００１７】
一方、記録媒体３の上面にあるヘッド２をアンロードするときは、図２に示すように、駆動機構５によってランプ４を記録媒体３の中心側に押してその先端がゾーン３１から離れてゾーン３２にかかる位置へ移動させる。この状態でヘッド２を図示しないヘッド駆動装置により記録媒体の外周側へ駆動し、ヘッド２の先端のタブ２１をランプ４上に乗り上げさせてヘッド２を記録媒体３上から待避する。したがって、ヘッド２のアンロード位置はロード位置よりも内周側のゾーン３２の位置となり、このときにヘッド２と接触して記録媒体３が損傷されるのはこのゾーン３２の範囲内となる。
【００１８】
このように、ヘッド２のロード時とアンロード時においてランプ４の位置を変えてやれば、ロード動作時の損傷ゾーン３１とアンロード動作時の損傷ゾーン３２とを完全に分離することができる。すなわち、ロード動作時の損傷とアンロード動作時の損傷とを独立して評価することができるので、従来できなかった損傷の原因特定などが可能となり、Ｌ／ＵＬ方式の記録装置で使用する記録媒体の信頼性評価のレベルを従来に比べ一段と向上することができる。
【００１９】
なお、本実施例ではヘッドのロード位置がアンロード位置より外周側の例を示したが、本発明の主旨は両者の位置を異ならせることにあり、位置関係を逆にしても同じ効果が得られる。
【００２０】
【発明の効果】
この発明によれば、ヘッドロード・アンロード方式の記録装置用の記録媒体を記録動作評価装置において、ヘッドの導入路を駆動する駆動装置を設けることにより、ヘッドを記録媒体上へロード（導入）するときの半径位置と記録媒体上からアンロード（待避）するときの半径位置を相互に変えてずらすようにしているので、ヘッドをロードするときの記録媒体における損傷位置とヘッドアンロードするときの記録媒体における損傷位置とを分離できるので、記録媒体上の損傷の解析、評価のレベルを従来よりも向上できる利点がもたらされる。
【図面の簡単な説明】
【図１】本発明の実施例のヘッドのロード動作の説明図。
【図２】本発明の実施例のヘッドのアンロード動作の説明図。
【図３】従来のヘッドロード・アンロード方式のＨＤＤ要部を示す斜視図。
【図４】従来の記録動作評価装置におけるロード動作の説明図。
【図５】従来の記録動作評価装置におけるロード動作の説明図。
【符号の説明】
１    ＨＤＤにおけるヘッドロード・アンロード機構
２    ヘッド
２１  タブ
３    記録媒体
３１  ロード動作による損傷ゾーン
３２  アンロード動作による損傷ゾーン
４    ランプ（導入路）
５    駆動機構
【図１】
0004432269.tif 000002
【図２】
0004432269.tif 000003
【図３】
0004432269.tif 000004
【図４】
0004432269.tif 000005
【図５】
0004432269.tif 000006